(57)【要約】      （修正有）【課題】遺跡、化石、石器、土器等の考古学で解明された歴史を現在から数十億年後の未来の人類に詳細に伝えることができる手段を提供する。【解決手段】光の反射によって読むことのできる反射光文字は木版、洋羊皮、紙、本、粘土板、土器、セラミック、岩石等に書かれ、書き手の意志を正確に不特定多数の人々に伝えることができる。太古の昔より生物多様性の進化と人類の進化の両面から過去に起きた事実を元に同時進行的に考察し近未来を予測するものである。正倉院、又は反射光文字未来館は人類遺産を神秘のタイムカプセルコハク３億年後、岩石文字１０〜４０億年後の未来の人類に詳細に伝える事ができる。【選択図】なし【特許請求の範囲】
【請求項１】
人類遺産を未来の人類に粘土板文字、土器文字、セラミック文字、岩石文字と神秘のタイムカプセルコハクの中に文字、文章と絵、写真、図面と現世昆虫、又は人、動物の写真又はセラミック等で動物を小さく型取り色彩を施し遺伝子ＤＮＡ二重螺旋、ミトコンドリアＤＮＡと文章等を封入する。現在の歴史、有史以前の歴史も現世人類が遺跡、化石、石器、土器等の考古学で解明された歴史を現在〜４０億年後の未来の人類に詳細に伝えることができる。
【請求項２】
書倉院、又は反射光文字未来館は世界各国が独自文明と人類遺産を神秘のタイムカプセルコハク３億年後と岩石文字１０〜４０億年後の未来の人類に詳細に伝えることができる。
【発明の詳細な説明】
【技術分野】
【０００１】  本発明は木版、洋羊皮、岩盤、紙等に書いた文字、本になった文字、絵等が光の反射によって読むことが出来る反射光文字、又パソコン等の文字自体が自ら発光して文字になる発光文字は瞬時に次々と文字が変化して発光文字となる。太古の昔より生物多様性の進化と人類の進化に関するものである。
【背景技術】
【０００２】  従来、紙、本等になった文字は何万年、何十万年の使用期間には耐える事が出来ない、又パソコン等の発光文字は膨大な情報を蓄積する事が可能な反面、瞬時に発光文字が消え去り修復する事が不可能となることがある。生物多様性の進化と人類の進化は有史以前の歴史は遺跡、化石、石器、土器等を元に推測、推定、想像の考古学の歴史であった。
【特許文献１】  特許公開  ２００７−１５５６９０
【発明の開示】
【発明が解決しようとする課題】
【０００３】  これは次のような問題点があった。正倉院に納められた書籍等の仏教書籍は風化により表紙はボロボロで中の文字の内容は後、幾百年、幾千年読むことが出来るのだろうか、又、発光文字のパソコン等は国家レベルのサイバー攻撃が存在しデーター消失の可能性はいたる所に存在する。生物多様性の進化、人類の進化は有史以前の歴史は遺跡、化石、石器、土器等を調査し推測、推定、想像の考古学の分野で石器捏造事件などがあり考古学の根幹を揺るがした。生物多様性の進化と人類の進化の両面から過去に起きた事実を元に同時進行的に考察する近未来の予測らしき予測がなされなかった。
本発明は以上のような欠点を解決することを目的とするものである。
【課題を解決するための手段】
【０００４】  本発明は上記目的を達成するために、従来の反射光文字は紀元前３，５００年前の粘土板に書かれたシュメール文字が古く時代を経て洋羊皮、木版、紙、本等に書かれた文字、これらの文字は全て光が反射して読める反射光文字である。
これに反して自ら文字自体が発光して文字になる発光文字は瞬時に次々と文字が変化して発光文字となる。従って反射光文字は永遠に変化しない文字で文字自体消えなければ数千年たっても読む事が出来る。
一方発光文字はファイルに情報を蓄積したり、インターネット等を利用して膨大な情報を蓄積する事ができ蓄積された膨大な情報から検索サイトで目的とする情報を検索する事が出来る。反射光文字と発光文字のの相違点は０の発見により０の概念が生まれ数学が飛躍的に発達し数学の基礎が確立したように発光文字の概念は発光文字文明の幕開けを意味しその概念に従えば近未来に起こりえる様々な事を予測することが出来る。
例えば関西特許センターは十数年前は館内所せましと蔵書が本棚に並べられ、館内建物１階、２階は蔵書とテーブルが設置され地下には古い年代の蔵書が本棚に詰め込まれていた。
３階は特許に関する相談室になっていて全館、人々の群れで調べものをするテーブルは空きがなく順番待ちであった。パソコンが普及して様相が一変した。
全館、人々の群れがウソのように人一人訪れる者なく動くものとして正面玄関の日の丸の国旗が風にはためいて今昔の盛衰を物語る。これと同様に個人、企業、役所、政府等全てがパソコンのファイルに情報を蓄積するのである。反面、様々な新種のウィルス、インターネットによるパソコンウイルスは国家レベルのサイバー攻撃もあり、国家が互いにサイバー攻撃をすれば全世界のパソコンのデーター消失を回避することは不可能とも言える。古来、人々は少しでも消えた文明、空白の文明とならない様に未来の人類に人類の文明遺産を未来に託すのである。
その代表が、例えば正倉院宝物であり松下タイムカプセル等である。
正倉院宝物には日本製品、中国（唐）や西域、遠くはペルシャ等からの輸入品を含めた絵画，書跡、全工、漆工、木工、刀剣、陶器、楽器、仮面など天皇家の貴重な品々を納めた物である。松下館、タイムカプセルＥＸＰＯ７０は今世紀の工業製品等、収納品の内訳は自然科学（金属及び非金属、電子機器、半導体、磁石、合成繊維、紙類、ゴム類、細菌、植物の種子など）、社会分野（国旗、日本の貨幣、衣類、文房具、写真など）、芸術分野（古典文学作品、美術品、録音テープ、レコード盤など）、工業製品等を主体とした５，０００年後に人類遺産を子孫に伝えようとした物である。
果たしてその収納された製品、工業製品（例えば炊飯器、テレビ等）が期待したような完全な姿、形、機能が５，０００年後の人々に何％伝える事が出来るのであろうか、未知数である。例えば扇風機は使用後３０年でモーター部品、コンデンサー部品から煙を出し発火する事故が多発しています。収納された炊飯器、テレビ等の家電製品にはコンデンサー等、沢山の部品が使用され５，０００年後には部品の多くが劣化しているか化石の様になっているのではないかと想像されます。
よしんば５，０００年後、何％か伝える事が出来たとしても５，０００年が今世紀最高頭脳の英知を集めたタイムカプセル的発想でありタイムカプセルの後世に伝える事の出来る最長にして最大限の期間が５，０００年であると言うことである。
ここで話を戻せば、反射光文字と発光文字の相違点を理解した時、反射光文字文明の本質が未来への究極のパワーを発揮するのである。
この世の全ての物体は光によって見えるのであり、光の反射によつて読むことの出来る文字は反射光文字である。インダス文明のシュメール地方のシュメール文字は紀元前３，５００年前の粘土板に書かれた文字が世界最古とされている。
世界最古の土器が日本の縄文土器で１２，０００年前である。１２，０００年を経た縄文土器の縄目模様は繊細に土器に描かれている。とするならば粘土板、或いは土器に文字を刻字すれば書かれた文字、文章は１２，０００年後の人類の子孫に様々な出来事の事実を詳細に伝える事が出来る。縄文土器より弥生土器の方が焼き物土器として薄くて硬く強いさらに現在のファインセラミックは強靱で用途が広い。
ファインセラミックに文字、文章、絵、写真、図面等を刻字すればタイムカプセルの５，０００年より遙か遠い１２，０００年後の未来まで様々な事実を伝える事が出来る。
いかなる発明、発見も文字、文章と絵、写真、図面等で全て説明する事が出来るのである。
石器時代の矢じり、ナイフに、もしも文字があったと仮定したなら矢じり、ナイフにこの矢じりはウサギ用、この矢じりは狸用、この矢じりは鹿用、このナイフはイノシシ解体用ナイフと書いてあったとしたなら決して推測、憶測、想像したりする必要がなく、このナイフはイノシシ用と断定することが出来る。
又、石器に文字で記されていたなら考古学の根幹を揺るがす石器捏造事件は起こらなかったであろうと思う。この様に文字は推測、憶測、想像する必要がなく書き手の意志を正確に不特定多数の人々に伝えることが出来る。
地球が誕生したのは約４６億年前とされるが、世界最古の岩石がカナダ東部で４２億８０００万年前の岩石が発見されている。セラミック文字、同様に岩石に文字を書けば土器やセラミックの１２，０００年より遙か遠くの１０億年〜４０億年の歳月を経て人類の子孫に岩石文字を伝える事が出来る。
こうしたセラミック文字、岩石文字をどの様な建築物で保存すればよいか色々考えると岩盤をくり抜いたトンネル内に設置すれば良いかと思ったが岩盤トンネルも崩落の危険があり安全でないようだ。古墳の石組みされた中は良いかと思ったが水、湿気等で保存上良くないようだ。結果、正倉院が約１，３００年前に寺の倉庫として立てられた。
正倉院宝物は実に様々な宝物が納められ、これらは出土したわけではなく保管してある伝世品だと言うことで世界に類を見ないものである。保存状態も良く質も実に高く世界の宝庫の一つされている。
正倉院は皇室の伝世品の宝物が納められているが、セラミック文字、岩盤文字は文字、文章、絵、写真、図面等の伝世品を納めるので書物の書を頭文字に『書倉院』又は『反射光文字未来館』と名ずく。『書倉院』館内の展示室には人類の進化と人類誕生の歩みを絵巻物のように、セラミック或いは表面を研磨した岩石に絵と説明文で最古の人類は５００万年以上前のアフリカ大陸で類人猿の仲間から進化してきた等を記す。
最古の猿人アウストラロビテクスが代表的な化石人骨で１００万年前の「ジャワ原人」５０万年前の「北京原人」、現世人類の祖先として「ホモ、サピエンス」が１０万年はど前にアフリカを起源として誕生、世界中に広がったとされる。
展示品はセラミック又は岩石に遺跡の絵或いは写真と説明文を記す。旧石器時代の石を荒く打ち欠いた打製石器、新石器時代の磨かれた磨製石器、石器で作られた矢じり，槍、ナイフ、斧、釣り針等の現物とセラミック又は岩石に現物と対比させ絵或いは写真と説明図を記す。その他、縄文土器、弥生土器、しゃこうき土偶、シュメール文字のレプリカ、ロゼットストーンのレプリカ、エジプトのピラミット、スフインクス、モンゴル帝国のヨーロッパと東洋を貫通させた世界最大の版図、羅針盤の発明と大航海時代、産業革命と紡績機、蒸気機関車、近代の電気と情報時代の幕開け等をセラミック或いは岩石に絵、或いは写真と説明文を記す。
『書倉院』地下１階はコンクリートの壁に岩石文字をはめ込む、地上１階の展示館に展示されている後世に伝えたい作品を選んで壁画とする。壁画の由来等を文章で説明文を記す。
『書倉院』地下１階にセラミック文字、岩石文字で書かれた資料作品はＥＸＰＯ７０松下館の５，０００年はもつと言われるタイムカプセル、ステンレースのステンレースを使用して地下１階に収納しやすい書棚を設置して、重要なセラミック文字、岩石文字、文章、図面、絵、写真等で書かれた人類遺産の資料を納める。
資料を分類ごとに自然科学分野、社会分野、芸術分野等の書棚別に分類する。
地上１階は展示館として無料で一般公開する。インターネットで１階展示館の作品の公開と地下１階の資料一覧表と詳細な資料を公開する。
日本の５〜１０大都市の図書館の姉妹館として設置し書倉院の維持管理費の捻出に協賛寄付金を募る。その方法として岩石文字、セラミック文字に寄付金協力者の氏名、住所、職業等を記載する。年度毎にインターネットに寄付者一覧表を公開する。
展示館１階でセラミック文字、岩石文字、又、３億年昔から存在する琥珀を使ったコハクセラミック文字、コハク岩石文字等の、お土産商品を販売する。
現世虫入りコハクＤＮＡ遺伝子、ミトコンドリアＤＮＡ等ができる。
コハクの中にセラミックに文字と写真ＤＮＡ、例えば現世動物の北極の白クマの写真とＤＮＡ、その他、キリン、サイ、虎、ライオン、ゴリラ、ハヤブサ、鷹、アヒル等あらゆる動物、鳥類、魚類、昆虫、植物のセラミックに写真とＤＮＡをコハクに封入する。
生物多様性と人類の進化について展示する事ができる。【０００５】  生物多様性と人類の進化について
人類が存在する地球の場合奇跡的な偶然がいくつも重なり生命が誕生して人類が存在する。宇宙で唯一の奇跡として太陽系外惑星には生命が存在しない、又存在しても地球とは全く違う実際には想像を遙かに超えたもののはずです。知的生命体がいたとしても、その姿が人間に似ていると言う事はありえません。と言う考え方と一方、天の川銀河（銀河系）は直径１０万光年の長さで私達の太陽系は天の川銀河の中心から２万８千光年離れた所に位置します。
直径１０万光年の恒星の数は約２，０００億個で、さらに銀河は約２，０００億個あると言われています。私達の太陽系太陽は、ごく一般的な恒星の一つに過ぎません。
最近太陽系外惑星に生命生存可能領域にある惑星が多数見つかっています。
恒星は自ら光るので肉眼でも見えますし、光学望遠鏡、電波望遠鏡、赤外線望遠鏡等でも見ることができます。しかし惑星は自分で光を発する事がありませんから太陽系外惑星を直接見つける事は非常に難しいのです。
わずか５００年前人々は地球が球体であることを認めませんでした。地球球体説を信じたコロンブスはヨーロッパからアジアへ船で行くのは従来東回り航路ですが球体説を信じたコロンブスは西回り航路でもアジアに到達する事ができると考え、前人未踏の１，４９２年、西回り航路でアジアを目指しました。当時人々は地球の海の果ては海の水が滝のように流れ落ちる恐ろし所であると信じられていました。
コロンブスがアジアを目指して到達したのは新大陸アメリカだったのです。
当時の人々は地球上に新大陸アメリカがあるなどと夢にも思っていませんでした。しかも新大陸アメリカには既に先住民のアメリカインディアン、マヤ人、エスキモ人等が住んでいました。この事は当時５００年前の人々は東回り航路でアジア極東の日本までは自分たちの目で見る事ができたから存在を信じる事ができたのである。眼で見ることのできない海の果てである海の水が滝のように流れ落ちる恐ろしい先に新大陸が存在するなどと思った事もなかったのである。
これと同様に自ら光る恒星の存在は私達は眼で見る事ができて存在を認める事できる。
惑星は自分で光りを発する事がありませんから惑星を見つける事自体非常に難しいのです。仮に生命生存可能領域にある惑星に生命があると仮定したなら全ての元素は恒星の内部、及び超新星爆発の時に元素が作られ地球や生物の身体を構成しています。
天の川銀河（銀河系）にばらまかれた元素が同じ元素であるとするならば生命進化の時代は色々違っても兄弟星である天の川銀河（銀河系）の生命生存可能領域の惑星は地球上の生命と同じ生命進化をしているのかも知れません。
天の川銀河（銀河系）以外の銀河は約２，０００億ありますが銀河系とは別な未知の元素、又は進化も異なり私たちの想像を絶する世界で２，０００億の銀河は２，０００億通りの進化をしているのかも知れません。
地球上には現在、生物として植物、動物、昆虫、細菌、ウイルス等、海には魚類、珊瑚、エビ、イカ、タコ、貝類等、数え上げればきりがないほどの生物が生息しています。
地球誕生４６億年になりますが、その間、生物は進化、簡単に述べると恐竜の時代から旧石器時代、縄文時代、弥生時代、現代に至ります。
人類は人類の思考により工業製品が次々に生まれた。例えば木造住宅設備を例に取っても全て人間の思考から生まれたのである。ガラス、コンクリート、タイル、柱、角材、板、瓦、畳、絨毯、照明器具、水道、ガス、電気、情報機器としてテレビ、ラジオ、電話、ファックス、パソコン等人間の思考により工業製品になった物です。
上記の柱など森林から原木を運び出し製材所で柱に製材加工した物です。
地球広しと言えど人間以外の動物で鍋、釜、フライパンの調理器具を製造して料理を調理して食事を食べる動物がいると聞いたことがありません。人間に一番近いとされるサルも手の届かない物を棒を使って取ったりオリの簡単な錠前を開けたりしますが、それ以上の事はできません。カラスも巣作りにマンションのベランダから拝借したワイヤーハンガーでＩ時間位で器用にワイヤーハンガーを絡めワラや布等使って丈夫な巣作りをしますが人間のように製品（工業製品）を作ったりはできません。
工業製品を作れるのは人類（人間）だけです。車、道路、高速道路、船、タンカー、橋、トンネル、半導体、ラジオ、コンピュータ、ヘリコプター、飛行機、ロケット、人工衛星を月面着陸させたりする事は  人類だけです。
人類の祖先としてホモ・サピエンスが１０万年ほど前にアフリカで誕生（第２の出アフリカ）して世界中に広がったとされます。ヨーロッパ人が「発見する」よりも前、ホモ・サピエンスは南アメリカの南端、太平洋の島々を発見して住み着き暮らしていたのです。
ホモとは「人類」の事でサピエンスは「考える人」又は「知恵のある人」の意味である。ホモ・サピエンス以前のジャワ原人、北京原人のホモ・エレクトス（第１回目の出アフリカ）である。ホモ・サピエンスは１０万年ほど前に誕生し何万年か後に地球全土を制覇したのである。何たる快挙であろうか。
知恵ある人、考える人なればこそなしえた地球的規模の大事業でありその進化が２０世紀、２１世紀の今日、人工衛星で月面着陸、宇宙ステーション建設に繋がるのである。【０００６】  人類も生物多様性の動物の一種類に過ぎないのである。生物多様性に於ける多種多様な植物、動物、魚類、昆虫、細菌、ウィルス等の４，０００万種類の生物は風土、気候、環境が大いに関係し食物連鎖により進化した。
人間は食物連鎖の他、衣食住と贅沢に恩恵を一番受け利用しているのである。着る物は木綿製品、シルク製品、羊毛、ミンクの毛皮等、食は山海の珍味、日本料理、中華料理、フランス料理等、住は木造住宅、鉄筋コンクリート住宅等、医薬品も生物多様性に頼っているのである。他の生物は例えば植物は太陽の光と根から水分と栄養分を吸収して成長し温帯植物は寒冷地帯には適さない。
又、動物は食物とする植物、昆虫、小動物が生息する地域に住み食物のない所には行かない。昆虫、細菌もえさのある所に住みつくのである。
２，５００年前ベーリング海底が露出して陸続きであった頃、モンゴロイドが北米、南米へ渡った。その後一万年前頃、海となりベーリング海峡となった。
コロンブスが５００年前、新大陸アメリカを発見するまで新大陸アメリカは絶海の新大陸アメリカとなった。
地球誕生４６億年であるが新大陸アメリカは太古の昔より植物、動物、昆虫、細菌、ウィルス等の生物は新大陸アメリカ固有の生命進化を遂げた。
一方、ヨーロッパ諸国、アジア大陸、アフリカ大陸等の旧大陸は陸路海路で行きかい文化の交流、商業、或いは戦争等で破壊と創造の繰り返しをしていた。
地球上には旧大陸の生命進化と新大陸アメリカの生命進化、４６億年−５００年（５００年前コロンブスの新大陸発見）の二つの生命進化が偶然存在したのである。
コロンブスの新大陸アメリカ発見により新、旧大陸が融合し現在に至のである。
食物連鎖による生物多様性の生物は旧大陸から新大陸アメリカには極寒のシベリア、ベーリング海峡、又「巨大な自然の冷蔵庫」と言われたアラスカを超えることはできない。
５００年前、言い換えるなら４６億年−５００年は地球原始の時代から二つの生命進化は新旧大陸が同時に進化している例を見れば太陽系外惑星の生命生存可能領域にある惑星の生命進化は地球がひな形であり地球と同じ生命進化をし、地球は生命生存可能領域にある惑星の地上の生命進化の大規模な実験場でもあると考えても何の不思議もないのである。かってガリレオ・ガリレイは当時発明された望遠鏡を用いて木星の周りを回る４個の月（イオ、エウロバ、ガエメデ、カリスト）を１６１０年に発見し木星のように月を従えた地球が太陽の周りを回っても何の不思議もないと確信を深めたのである。
進化のひな形である事に何故、人類は気付かなかったのでしょうか？
４６億年−５００年間は、いくつもの恒星が生まれ、そしていくつもの恒星が寿命つきて超新星爆発をして宇宙に元素をまき散らし、元素を元に恒星の周りを回る惑星が生まれ、生命生存可能領域にある惑星に生命が誕生し、そして進化しているのである。
人は思考して物を形作る、宇宙も形作る前に思考するとする。即ち全知全能である。全知全能とは全てを知り全て何事でもなし得る力である。人も宇宙の星くずからできているので人は全て全知全能と繋がっているのだと言う説がある。
創世記に於いて人間はすべて神にかたどって創造された。身分や性別に関係なく、人間であれば誰であっても神性を宿しているという。日本全国津々浦々、神社仏閣が存在し祠も存在する。
地球上に旧大陸の生命進化と新大陸の生命進化の二つが存在する事は宇宙の全知全能が人類に生命生存可能領域の惑星の生命進化は地球と同じである事を知らしめる為に示し教えたのかも知れない。現在は進化の一過程に過ぎません。一千年前〜一万年前は書物、考古学等でおぼろげに何となく想像ができますが、１０万年前ホモ・サピエンスがアフリカで誕生した時代の事を鮮明に想像できるであろうか。誰もできないのである。
これと同様に一千年後〜一万年後の未来はおぼろげに何となく想像はできても、１０万年〜１００万年後の生物多様性の進化、ましてや人類の進化（未来）は想像し得ないのである。
わずか８０年前、１９３０年代に電子顕微鏡が発明され、従来の光学顕微鏡では見る事のできなかった細胞小器官の構造や、遺伝子の運び屋と言われるウイルスも発見された。
約５０年前１９６２年、遺伝子ＤＮＡ二重螺旋構造の研究によりワトソンとクリックはウイルキンスともにノーベル賞を受賞した。
遺伝子の研究によりホモ・サピエンス（考える人、知恵ある人）以前の北京原人を最近まで現世人類（アジア人）の祖先とする考えがあったが現在では現代人のミトコンドリアＤＮＡの系統解析により否定された。
１０万年ほど前にアフリカで誕生したホモ・サピエンスが現代人の祖先として広がったとされる。遺伝子ＤＮＡ二重螺旋によって１０万年以上前の進化が克明に解明される事は生物多様性に於ける１０万年前の動物の骨、植物の化石、又コハクに閉じこめられた昆虫等の遺伝子ＤＮＡ二重螺旋を解析すれば生物多様性（４，０００万種）の一部は進化の過程が克明に解明される事が可能になる。
【発明の効果】
【０００７】  誰もできない、誰もやった事のない試みを、遠い遠い遙か３億年後、神秘のタイムカプセルコハクと１０億年〜４０億年後の岩石文字を未来の人類に伝える事ができる。例えば東京電力福島第１原発は２０１１年３月１１日、地震や津波による電源喪失で原子炉などの冷却機能が失われ１、３、４号機で相次いで水素爆発が起き炉心溶融で大量の放射性物質が放出された。使用済み核燃料プールの冷却作業は消防ポンプ車など外部からの注水に頼り不安定で核燃料が全て溶融する可能性があった。（公序良俗違反につき、不掲載）３億年後、神秘のタイムカプセルコハクと１０億年〜４０億年後の岩石文字に事故の記録を未来の人類に伝えることができる。さらに現在の歴史、有史以前の歴史は従来の技術では３億年〜４０億年後に詳細に未来の人類に伝える事が不可能であったが、３億年後、神秘のタイムカプセルコハクと１０億年〜４０億年後の岩石文字によって現在の歴史、有史以前の歴史も現世人類が遺跡、化石、石器、土器等の考古学で解明された歴史を詳細に未来の人類に伝える事ができる。
【発明を実施するための最良の形態】
【０００８】  ホモ・サピエンスが誕生して１０万年たち人類は進化して現在に至りますが、この先ホモ・サピエンスが何百万年、何千万年と富み栄えるのであろうか？
人類誕生５００万年の間にアフリカに起源を持つホモ・エレクトス（ジャワ原人、北京原人）が人類初の（第１回目の出アフリカ）でありホモ・サピエンス（考える人、知恵ある人）が１０万年（第２の出アフリカ）ほど前にアフリカで誕生して世界中に広がったとされる。ジャワ原人、北京原人（第１回目の出アフリカ）は何らかの理由で絶滅したとされる。ホモ・エレクトスが永遠に栄えるのか、それとも何らかの理由で何十万年か何百万年か後、ジャワ原人、北京原人のように絶滅して人類は（第３出アフリカ、第４出アフリカ）があるのであろうか。
その答えは生物多様性（４，０００万種、又は１億種あると言う説もある。）の動物の骨、植物の化石、魚類の化石（又は生きた化石シーラカンス、カブトガニ）細菌、ウイルス、コハクの中に閉じこめられた昆虫等（過去に生きた生物多様性）の遺伝子ＤＮＡ二重螺旋或いはミトコンドリアＤＮＡの中に未来の答えの鍵があるのかも知れない。
コハクは木の樹脂が地中で長い年月に固化してできるため内部に古代の昆虫（アリ、ハエアブ、キクイ虫、クモ、細菌、糸トンボ、花、樹枝の皮等）生成の過程で自然に入り込み虫入りコハクと呼ばれている。平面的な化石と異なりコハク内部の化石は立体的、完全体としてＤＮＡも  保存されている場合が多い。
世界最古のコハクは３億年前とされる。コハクの昆虫化石からＤＮＡが検出され約１億２千万年前の現在最古のＤＮＡも検出されている。
立体的な現世昆虫コハク、キリン、サイ、虎、ライオン等の大型動物はセラミック等で小さく動物を型取り色彩を施し遺伝子ＤＮＡ二重螺旋とミトコンドリアＤＮＡを説明文と共にコハク内に封入する。人類のスポーツの祭典オリンピック（マラソン、水泳、柔道、重量挙げ、レスリング等）の写真を説明文と共に封入する。
建築（神社、仏閣、高層ビル、木造住宅等）宇宙天文学、科学、博物学等の写真と説明文をコハクに封入する。岩石文字の風化を防ぐため文字表面にコハク（コーパルニス）を厚く塗布する。